(57)【要約】【課題】  部分点数を削減すること、省スペース化に対応すること、組立作業を簡易化し作業工数を削減すること。【解決手段】  第１のフランジ部１３ａの開口部１３ｅに収容フランジ部１７ａが入り込む際に前記第１のフランジ部１３ａによって係合部１７ｅが押圧され前記収容フランジ部１７ａの一部分１７ｓを弾性変形するように前記係合部１７ｅの近傍の前記収容フランジ部１７ａの前記一部分１７ｓにスリット１７ｇを形成することによって第１のシェル体１１を組み立てる。【選択図】  図１
2005134822.tif 000002
【特許請求の範囲】
【請求項１】
第１の光コネクタプラグを第１の方向へ挿入する第１のシェル体と、該第１のシェル体に結合・分離可能に締結され第２の光コネクタプラグを前記第１の方向とは逆向きの第２の方向へ挿入する第２のシェル体とを含み、
前記第１及び第２のシェル体に前記第１及び第２の光コネクタプラグを前記第１及び第２の方向へ相対的に挿入して接続することにより前記第１及び第２の光コネクタプラグを光学的に接続する光コネクタアダプタにおいて、
前記第１のシェル体は、第１のシェル部材と、該第１のシェル部材に保持している収容部材とを有し、
前記第１のシェル部材は、第１のフランジ部と、該第１のフランジ部に接続されている第１のシェル筒部とを有し、
前記第１のフランジ部は前記第１のシェル筒部に連通している開口部と、前記第１のフランジ部に形成した第１の係合受部とを有し、
前記収容部材は、前記第１のフランジ部の前記開口部内に入り込む収容フランジ部を有し、
前記収容フランジ部は、前記第１の係合受部に係合するよう前記第１のフランジ部の前記第１の係合受部に対向させるように形成した係合部と、前記第１のフランジ部の開口部に前記収容フランジ部が入り込む際に前記第１のフランジ部によって前記係合部が押圧され前記収容フランジ部の一部分を弾性変形するように前記係合部の近傍の前記収容フランジ部の前記一部分に形成したスリットとを有していることを特徴とする光コネクタアダプタ。
【請求項２】
第１の光コネクタプラグを第１の方向へ挿入する第１のシェル体と、該第１のシェル体に結合・分離可能に締結され第２の光コネクタプラグを前記第１の方向とは逆向きの第２の方向へ挿入する第２のシェル体とを含み、
前記第１及び第２のシェル体に前記第１及び第２の光コネクタプラグを前記第１及び第２の方向から相対的に挿入して接続することにより前記第１及び第２の光コネクタプラグを光学的に接続する光コネクタアダプタにおいて、
前記第１のシェル体は、第１のシェル部材を有し、
前記第１のシェル部材は、第１のフランジ部と、前記パネルの前記孔に挿入可能に前記第１のフランジ部に接続されているシェル筒部とを有し、
前記第１のフランジ部の外周面には、前記第２のシェル体を前記第１のフランジ部に係合する第１の係合受部と、前記第２のシェル体を前記第１のフランジ部にロックする第２の係合受部とを有し、
前記第２のシェル体は、前記第１のフランジ部に取り付けられる第２のシェル部材と、該第１のシェル部材の前記第１の係合受部に係合し前記第２の係合受部にロックするよう取り付けたロックレバーとを有し、
前記第２のシェル部材は、前記ロックレバーを前記第１及び第２のシェル部材の相互間で円軌道に沿って回動可能に支持した回動軸を有し，
前記ロックレバーは、前記円軌道上で前記第１の係合受部に係合する第１のレバー係合部と、前記第１の係合受部に前記第１のレバー係合部が係合した際に前記第１及び前記第２のシェル部材のロック状態を保持するように前記第２の係合受部に係合してロック状態を維持する第２のレバー係合部とを有し、
前記第２のフランジ部は、前記第２のレバー係合部によって前記第２の係合受部を押圧して前記第１のフランジ部の一部分を弾性変形するように前記第２の係合受部の近傍の前記第２のフランジ部の前記一部分に形成したスリットを有していることを特徴とする光コネクタアダプタ。
【発明の詳細な説明】
【技術分野】
【０００１】
本発明は、一対の光コネクタプラグを光学的に接続する光コネクタアダプタに関する。
【背景技術】
【０００２】
先行技術としては、第１の光コネクタプラグを挿入する第１のシェル体と、第１のシェル体に結合・分離可能に締結され第２の光コネクタプラグを挿入する第２のシェル体とを含み、第１及び第２のシェル体に第１及び第２の光コネクタプラグを相対的に挿入して接続することにより前記第１及び第２の光コネクタプラグを光学的に接続する光コネクタアダプタが知られている（例えば、特許文献１を参照）。
【０００３】
また、他の光コネクタアダプタとしては、ロックレバーを有し、このロックレバーに弾性部材を設け、リアフランジに弾性部材を円軌道に沿って回動させたときに突き当たる係合突部を設けたものがある（例えば、特許文献２を参照）。
【特許文献１】特公平８−７３０２号公報
【特許文献２】特許第３０００３４２号公報
【発明の開示】
【発明が解決しようとする課題】
【０００４】
解決しようとする問題点は、光コネクタアダプタの構成として内ばね、第１の外郭部材、第２の外郭部材、などの部材を必要とするため部分点数が多くなるという問題がある。
【０００５】
また、光コネクタアダプタの構成が複雑であり、大きな外郭形状となるので省スペース化できないという問題がある。
【０００６】
さらに、組立作業には、特別な治工具を必要とすることから作業工数が増大し、作業を簡易化することができない点である。
【０００７】
また、ロックレバーを有する光コネクタでは、ロックレバーに特別な部材としての弾性部材を設けなければならず、取り付け作業を簡易化することができないという問題がある。
【課題を解決するための手段】
【０００８】
本発明は、第１の光コネクタプラグを第１の方向へ挿入する第１のシェル体と、該第１のシェル体に結合・分離可能に締結され第２の光コネクタプラグを前記第１の方向とは逆向きの第２の方向へ挿入する第２のシェル体とを含み、前記第１及び第２のシェル体に前記第１及び第２の光コネクタプラグを前記第１及び第２の方向へ相対的に挿入して接続することにより前記第１及び第２の光コネクタプラグを光学的に接続する光コネクタアダプタにおいて、前記第１のシェル体は、第１のシェル部材と、該第１のシェル部材に保持している収容部材とを有し、前記第１のシェル部材は、第１のフランジ部と、該第１のフランジ部に接続されている第１のシェル筒部とを有し、
前記第１のフランジ部は前記第１のシェル筒部に連通している開口部と、前記第１のフランジ部に形成した第１の係合受部とを有し、前記収容部材は、前記第１のフランジ部の前記開口部内に入り込む収容フランジ部を有し、前記収容フランジ部は、前記第１の係合受部に係合するよう前記第１のフランジ部の前記第１の係合受部に対向させるように形成した係合部と、前記第１のフランジ部の開口部に前記収容フランジ部が入り込む際に前記第１のフランジ部によって前記係合部が押圧され前記収容フランジ部の一部分を弾性変形するように前記係合部の近傍の前記収容フランジ部の前記一部分に形成したスリットとを有していることを特徴とする光コネクタアダプタであることを最も主要な特徴とする。
【０００９】
また、本発明は、第１の光コネクタプラグを第１の方向へ挿入する第１のシェル体と、該第１のシェル体に結合・分離可能に締結され第２の光コネクタプラグを前記第１の方向とは逆向きの第２の方向へ挿入する第２のシェル体とを含み、
前記第１及び第２のシェル体に前記第１及び第２の光コネクタプラグを前記第１及び第２の方向から相対的に挿入して接続することにより前記第１及び第２の光コネクタプラグを光学的に接続する光コネクタアダプタにおいて、前記第１のシェル体は、第１のシェル部材を有し、前記第１のシェル部材は、第１のフランジ部と、前記パネルの前記孔に挿入可能に前記第１のフランジ部に接続されているシェル筒部とを有し、前記第１のフランジ部の外周面には、前記第２のシェル体を前記第１のフランジ部に係合する第１の係合受部と、前記第２のシェル体を前記第１のフランジ部にロックする第２の係合受部とを有し、前記第２のシェル体は、前記第１のフランジ部に取り付けられる第２のシェル部材と、該第１のシェル部材の前記第１の係合受部に係合し前記第２の係合受部にロックするよう取り付けたロックレバーとを有し、前記第２のシェル部材は、前記ロックレバーを前記第１及び第２のシェル部材の相互間で円軌道に沿って回動可能に支持した回動軸を有し、前記ロックレバーは、前記円軌道上で前記第１の係合受部に係合する第１のレバー係合部と、前記第１の係合受部に前記第１のレバー係合部が係合した際に前記第１及び前記第２のシェル部材のロック状態を保持するように前記第２の係合受部に係合してロック状態を維持する第２のレバー係合部とを有し、前記第２のフランジ部は、前記第２のレバー係合部によって前記第２の係合受部を押圧して前記第１のフランジ部の一部分を弾性変形するように前記第２の係合受部の近傍の前記第２のフランジ部の前記一部分に形成したスリットを有していることを特徴とする光コネクタアダプタであることを最も主要な特徴とする。
【発明の効果】
【００１０】
本発明の光コネクタアダプタによれば、収容フランジ部の一部分にスリットを形成することにより第１のシェル体の係合における部分点数を削減できる。
【００１１】
また、第２のシェル体における第２のフランジ部の一部分にスリットを形成することにより、第２のシェル体の部分点数を削減できる。
【００１２】
また、光コネクタアダプタの機構部分を最小限に抑えることができ省スペース化が可能となる。
【００１３】
さらに、光コネクタアダプタの組立作業には、特別な治工具を必要としないことから、作業工数を大幅に削減でき、作業の簡易化が可能となるという利点がある。
【発明を実施するための最良の形態】
【００１４】
本発明の光コネクタアダプタでは、第１のシェル体における第１のシェル部材の第１のフランジ部の開口部に収容フランジ部が入り込む際に第１のフランジ部によって係合部が押圧され収容フランジ部の一部分を弾性変形するように係合部の近傍の収容フランジ部の一部分にスリットを形成することによって第１のシェル体と第２のシェル体との係合及びロック状態を維持することを実現した。
【００１５】
また、本発明の光コネクタアダプタでは、第２のシェル体における第２のシェル部材の第２のフランジ部に、第２のレバー係合部によって第２の係合受部を押圧して第１のフランジ部の一部分を弾性変形するように第２の係合受部の近傍の第２のフランジ部の一部分にスリットを形成し、第１のシェル体と前記第２のシェル体との係合及びロック状態を維持することを実現した。
【実施例１】
【００１６】
図１は、本発明の実施例１に係る光コネクタアダプタを示しており、第１の光コネクタプラグ及び第２の光コネクタプラグを光コネクタアダプタに接続した状態を示している。図２は、図１に示した光コネクタアダプタ、第１の光コネクタプラグ、及び第２の光コネクタプラグを接続状態から分解して示した側面図である。
【００１７】
図１及び図２を参照して、光コネクタアダプタは、第１のシェル体１１と、第１のシェル体１１に結合・分離可能に締結する第２のシェル体２１とを備えている。
【００１８】
第１のシェル体１１は、機器（図示せず）のパネル３１の内側で第１の光コネクタプラグ４１をパネル３１の第１の面３１ａへ向かう第１の方向Ｉへ挿入して接続するようにパネル３１に取り付けられる。第２のシェル体２１は、パネルの外側から第２の光コネクタプラグ５１をパネル３１の第２の面３１ｃへ向かう第２の方向ＩＩへ挿入して接続するようにパネル３１の外側で第１のシェル体１１に結合・分離可能に締結する。
【００１９】
光コネクタアダプタでは、第１及び第２の光コネクタプラグ４１，５１を第１及び第２のシェル体１１，２１に相対する方向（第１及び第２の方向Ｉ，ＩＩ）から挿入して接続することにより光学的に接続するものである。
【００２０】
さらに、図３乃至図７をも参照して以下に光コネクタアダプタを詳細に説明する。第１のシェル体１１は、パネル３１に形成されている孔３１ａに第２の方向ＩＩで挿入されてパネル３１に取り付けられる第１のシェル部材１３と、パネル３１の内側で第１のシェル部材１３の外周面に保持されている固定用部材１５と、パネル３１の外部から第１のシェル部材１３に保持している収容部材１７とを有している。
【００２１】
第１のシェル部材１３は、パネル３１の孔３１ａよりも大きい寸法でパネル３１の外側の外面に対向する寸法の第１のフランジ部１３ａと、パネル３１の孔３１ａに挿入可能に第１のフランジ部１３ａに接続されている第１のシェル筒部１３ｃとを有している。
【００２２】
図３に示すように、第１のフランジ部１３ａには、第１のシェル筒部１３ｃに連通している開口部１３ｅと、第１のフランジ部１３ａの外面から開口部１３ｅ側へ貫通している孔形状の第１の係合受部１３ｇとが設けられている。第１のシェル筒部１３ｃには、第１の光コネクタプラグ４１が第１の方向Ｉで挿入される側面の端面から開口部１３ｅ側へ一対の切り欠き部１３ｊが形成されている。さらに、第１のフランジ部１３ａの外面には、第１の係合受部１３ｇを形成していない相対する側面の一対の外面のそれぞれに軸部１３ｎが設けられている。
【００２３】
固定用部材１５は、図１、図２及び図７に示すように、第１のシェル筒部１３ｃの外周面に保持される固定部１５ａと、固定部１５ａに一端が接続されて第１のシェル筒部１３ｃの外周面から離れる向きで第１のフランジ部１３ａ側へ延びている固定用係合部１５ｃとを有している。
【００２４】
収容部材１７には、第１のフランジ部１３ａの開口部１３ｅ内に入り込む四角形状の収容フランジ部１７ａと、開口部１３ｅから第１のシェル筒部１３ｃ内に入り込むように第１のフランジ部１３ａから延びている一対の係合アーム部１７ｃとが設けられている。
【００２５】
係合アーム部１７ｃは弾性変形可能に収容フランジ部１７ａから片持ち形状に延びており、第１の光コネクタプラグ４１が挿入されるときのガイドとしてかつ光コネクタプラグ４１を先端に形成されているフック部１７ｐによって弾性力をもって係合する役目を果たす。
【００２６】
収容フランジ部１７ａは、図３乃至図６に示すように、第１の係合受部１３ｇに係合するように第１のフランジ部１３ａの開口部１３ｅの内面に対向する収容フランジ部１７ａの相対する一対の側面のそれぞれから突出している係合部１７ｅと、第１のフランジ部１３ａの開口部１３ｅに収容フランジ部１７ａが入り込む際に第１のフランジ部１３ａを一方の係合部１７ｅがそれぞれの他方の係合部１７ｅに向けて押圧されて収容フランジ部１７ａの一部分を弾性変形するように、それぞれの係合部１７ｅの近傍で収容フランジ部１７ａの一部分に形成されているスリット１７ｇとを有している。
【００２７】
即ち、収容フランジ部１７ａの一部分にスリット１７ｇを形成したことにより、係合部１７ｅが位置している収容フランジ部１７ａの一部分が薄い板厚寸法となる板部分１７ｓが形成されるので、係合部１７ｅが押圧されている状態で板部分１７ｓが撓み弾性変形し、係合部１７ｅの押圧が解除ｓれたときに元の形態に戻ることになる。なお、板部分１７ｓが弾性変形する方向は、図４において矢印Ａによって示した。
【００２８】
さらに、収容フランジ部１７ｅには、第２のシェル体２１の先端部を挿入するためのガイド孔１７ｊが形成されている。
【００２９】
第１の光コネクタプラグ４１は、光ファイバ４１ａを保持している第１の外郭部材４１ｃを有している。光ファイバ４１ａは、第１の外郭部材４１ｃに保持されて先端が第１の光コネクタプラグ４１の先端部４１ｄの端面から露出している。第１の外郭部材４１ａの外面には、第１のシェル部材１３に形成されている切り欠き部１３ｊに入り込む突条部４１ｅが形成されている。
【００３０】
第２のシェル体２１は、図１及び図２に示したように、第１のフランジ部１３ａに取り付けられる第２のシェル部材２３と、第１のシェル部材１３の軸部１３ｎに係合するように第１のシェル部材１３に回動可能に取り付けたロックレバー２５とを有している。
【００３１】
第２のシェル部材２３は、第２のフランジ部２３ａと、第２のフランジ部２３ａに接続されている第２のシェル筒部２３ｃと、第２のシェル筒部２３ｃとは反対側で第２のフランジ部２３ａから突き出している第２の筒状部２３ｅとを有している。
【００３２】
第２のフランジ部２３ａには、ロックレバー２５を第１及び第２のシェル部材１１，２１の相互間で円軌道に沿って回動可能に支持する回動軸２３ｇが設けられている。ロックレバー２５は、円軌道上で軸部１３ｎに係合する第１のレバー係合部２５ａと、軸部１３ｎに第１のレバー係合部２５ａが係合した際に、第１及び第２のシェル部材１１，２１のロック状態を保持するように第２のフランジ部２３ａに形成されている第２の係合受部（図示せず）に係合してロック状態を維持する第２のレバー係合部２５ｃと、回動軸２３ｇを中心としてロックレバー２５を回動操作する操作部２５ｅとを有している。
【００３３】
第２の光コネクタプラグ５１が挿入される側面の端面から第２のフランジ部２３ａ側へ一対の切り欠き部２３ｊが形成されている。第２の光コネクタプラグ４１は、光ファイバ５１ａを保持している第２の外郭部材５１ｃを有している。光ファイバ５１ａは、第２の外郭部材５１ｃに保持されて第２の光コネクタプラグ５１の先端部５１ｄの端面に露出している。第２の外郭部材５１ａの外面には、第２のシェル部材２３に形成されている切り欠き部２３ｊに入り込む突条部５１ｅが形成されている。
【００３４】
以下、光コネクタアダプタの組み立て作業を説明する。光コネクタアダプタの組み立てにおいては、始めに、図３に示した第１のシェル体１３の第１のフランジ部１３ａには、第１のシェル筒部１３ｃに連通している開口部１３ｅへ係合アーム部１７ｃのフック部１７ｐを前方として収容部材１７を挿入する。
【００３５】
ここで、開口部１３ｅへ収容フランジ部１７ａが入り込む際に、係合部１７ｅが第１のフランジ部１３ａの開口側の面に突き当たる。さらに、収容フランジ部１７ａを開口部１３ｅ側へ押し込むと、係合部１７ｅが第１のフランジ部１３ａに押される。このとき、収容フランジ部１７ａに形成されているスリット１７ｇで第１のフランジ部１３ａによって係合部１７ｅがそれぞれの他方の係合部１７ｅに向けて押圧されて収容フランジ部１７ａのスリット１７ｇを形成している収容フランジ部１７ａの板部を撓ませるように弾性変形させる。
【００３６】
そして、さらに収容フランジ部１７ａを開口部１３ｅ側へ押し込むと、係合部１７ｅが第１のフランジ部１３ａの第１の係合受部１３ｇに移動して入り込むことにより、第１のシェル体１３と収容部材１７とが一体に係合した状態となる。
【００３７】
第１のシェル体１１は、第１のシェル部材１３と収容部材１７とが一体に係合した状態で、パネル３１に形成されている孔３１ａに第１のフランジ部１３ａに接続されている第１のシェル筒部１３ｃを挿入する。この際、機器の内側となるパネル３１の第１の面３１ｃ側には、第１のシェル筒部１３ｃが突き出している。また、機器の内側となるパネル３１の第２の面３１ｅには、第１のフランジ部１３ａを当接させる。
【００３８】
そして、固定用部材１５を第１のシェル筒部１３ｃの外周面に設け、固定用部材１５の固定用係合部１５ｃの先端がパネル３１の第１の面３１ｃに対向させる。したがって、第１のシェル体１１は、第１のフランジ部１３ａと固定用係合部１５ｃの先端とによってパネル３１に保持される。
【００３９】
その後、第１のシェル部材１３の第１のシェル筒部１３ｃには、第１のシェル部材１３に形成されている切り欠き部１３ｊに入り込むように、第１の光コネクタプラグ４１の第１の外郭部材４１ｃに設けられている突条部４１ｅを入り込ませ、第１のシェル部材１３に第１の光コネクタプラグ４１を挿入する。
【００４０】
次に、第２のシェル部材２３の第２のシェル筒部２３ｃには、第２のシェル部材２３に形成されている切り欠き部２３ｊに入り込むように、第２の光コネクタプラグ５１の第２の外郭部材５１ｃに設けられている突条部５１ｅを入り込ませ、第２のシェル部材２３に第２の光コネクタプラグ５１を挿入する。
【００４１】
そして、第２のシェル体２１を第１のシェル体１１に締結する。第２のシェル体２１を第１のシェル体１１に締結するには、回動軸２３ｇを支点としてロックレバー２５を図１及び図２に示した位置から反時計方向に操作部２５ｅを把持して回転させておき、第２のシェル部材２３の第２の筒状部２３ｅを前方として収容部材１７のガイド孔１７ｊへ第２の筒状部２３ｅを挿入する。
【００４２】
そして、第１のフランジ部１３ａと第２のフランジ部２３ａとが当接した後に、ロックレバー２５の操作部２５ｅを時計方向へ回転させると、ロックレバー２５の第１の係合部２５ａと軸部１３ｎに係合する。この際に、第１及び第２のシェル部材１１，２１のロック状態を保持するように第２のフランジ部２３ａに形成されている第２の係合受部（図示せず）に第２のレバー係合部２５ｃが係合してロック状態を維持する。
【００４３】
また、第２のシェル体２１を第１のシェル体１１から分離するには、ロックレバー２５を回動軸２３ｇを支点として図１及び図２に示した位置から時計方向に操作部２５ｅを持って回転させ、ロックレバー２５の第１のレバー係合部２５ａと軸部１３ｎとの係合を解除し、第１及び第２のシェル部材１１，２１のロック状態を保持している第２の係合受部（図示せず）から第２のレバー係合部２５ｃのロック状態を解除することによって分離する。
【００４４】
なお、第１のシェル部材１３は、金属若しくは樹脂成型品であり、収容部材１７としては、第１のフランジ部１３ａによって弾性変形させることから樹脂成型によって成型されたものを採用することが望ましい。
【実施例２】
【００４５】
図８は、本発明の実施例２に係る光コネクタアダプタを示しており、第１の光コネクタプラグ及び第２の光コネクタプラグを光コネクタアダプタに接続した状態で示している。図９は、図８に示した光コネクタアダプタ、第１の光コネクタプラグ、及び第２の光コネクタプラグを接続状態から分解して示している。
【００４６】
図８及び図９を参照して、光コネクタアダプタは、第１のシェル体１１１と、第１のシェル体１１１に結合・分離可能に締結する第２のシェル体１２１とを備えている。
【００４７】
第１のシェル体１１１は、機器（図示せず）のパネル１３１の内側で第１の光コネクタプラグ１４１をパネル１３１の第１の面３１ａへ向かう方向の第１の方向Ｉで接続するようにパネル１３１に取り付けられる。第２のシェル体１２１は、パネル１３１の外側から第２の光コネクタプラグ１５１をパネル１３１の第１の面３１ａへ向かう方向の第２の方向ＩＩで接続するようにパネル１３１の外側で第１のシェル体１１１に対して結合・分離可能に締結する。
【００４８】
光コネクタアダプタでは、第１及び第２のシェル体１１１，１２１にを相対する方向（第１及び第２の方向）から挿入して接続することにより第１及び第２の光コネクタプラグ１４１，１５１を光学的に接続するものである。
【００４９】
さらに、図１０乃至図１２をも参照して以下に光コネクタアダプタを詳細に説明する。第１のシェル体１１１は、パネル１３１に形成されている孔１３１ａに第２の方向ＩＩで挿入されてパネル１３１に取り付けられる第１のシェル部材１１３を有している。
【００５０】
第１のシェル部材１１３は、パネル１３１の孔１３１ａよりも大きい寸法でパネル１３１の外側となる第２の面１３１ｅに対向する寸法の第１のフランジ部１１３ａと、パネル１３１の孔１３１ａに挿入可能に第１のフランジ部１１３ａに接続されている第１のシェル筒部１１３ｃとを有している。
【００５１】
第１のフランジ部１１３ａには、第１のシェル筒部１１３ｃに連通している開口部１１３ｅが設けられている。第１のフランジ部１１３ａの外面には、相対する側面の外面に一対の軸部１１３ｎが設けられている。第１のシェル筒部１１３ｃの外周面にはネジが形成されている。
【００５２】
第１の光コネクタプラグ１４１は、光ファイバ１４１ａを保持している第１の外郭部材１４１ｃを有している。光ファイバ１４１ａは、第１の外郭部材１４１ｃに保持されて先端が第１の光コネクタプラグ１４１の先端部１４１ｄの端面から露出している。
【００５３】
第２のシェル体１２１は、第１のフランジ部１１３ａに取り付けられる第２のシェル部材１２３と、第１のシェル部材１１１の軸部１１３ｎに取り付けられているロックレバー１２５とを有している。
【００５４】
第２のシェル部材１２３は、第２のフランジ部１２３ａと、第２のフランジ部１２３ａに接続されている第２のシェル筒部１２３ｃと、第２のシェル筒部１２３ｃとは反対側で第２のフランジ部１２３ａから突き出している第２の筒状部１２３ｅとを有している。
【００５５】
図１０に示すように、第２のシェル部材１２３の内部には、第２のフランジ部１２３ａ、第２のシェル筒部１２３ｃ及び第２の筒状部１２３ｅにかけて第１及び第２の方向Ｉ，ＩＩに長い寸法でスリーブ形状の整列部材１２３ｆが内装されている。
【００５６】
ロックレバー１２５は、円軌道上で軸部１１３ｎに係合する第１のレバー係合部１２５ａと、軸部１１３ｎに第１のレバー係合部１２５ａが係合した際に、第１及び第２のシェル部材１１１，１２１のロック状態を保持するように第２のフランジ部１２３ａに形成されている第２の係合受部１１３ｐに係合してロック状態を維持する第２のレバー係合部１２５ｃと、回動軸１２３ｇを中心としてロックレバー１２５を回動操作する操作部１２５ｅとを有している。
【００５７】
第２のフランジ部１２３ａは、ロックレバー１２５を第１及び第２のシェル部材１１１，１２１の相互間で円軌道に沿って回動可能に支持する回動軸１２３ｇと、第２のフランジ部１２３ａの一部に形成されている第２の係合部１１３ｐと、第２の係合部１１３ｐを第２のレバー係合部１２５ｃによって押圧して第２のフランジ部１２３ａを撓ませ弾性変形するように、それぞれの第２の係合受部１１３ｐの近傍の第２のフランジ部１２３ａの一部分に形成されているスリット１１３ｒとを有する。
【００５８】
即ち、第２のフランジ部１２３ａの一部分にスリット１１３ｒを形成したことにより、第２の係合部１１３ｐが位置している第２のフランジ部１２３ａの一部分が薄い板厚寸法の板部分１１３ｓとなるので、第２の係合部１１３ｐが押圧されている状態で板部分１１３ｓが撓み弾性変形し、第２の係合部１１３ｐの押圧を解除したときに元の形態に戻ることになる。なお、板部分１１３ｓが弾性変形する方向は、図１２において矢印Ｂで示した。
【００５９】
第２の光コネクタプラグ１５１は、光ファイバ１５１ａを保持している第２の外郭部材１５１ｃを有している。光ファイバ１５１ａは、第２の外郭部材１５１ｃに保持されて先端が第１の光コネクタプラグ１５１の先端部１５１ｄの端面から露出している。
【００６０】
以下、光コネクタアダプタの組み立て作業を説明する。光コネクタアダプタの組み立てにおいては、始めに、第１のシェル体１１１は、パネル１３１に形成されている孔３１ａに第１のフランジ部１１３ａに接続されている第１のシェル筒部１１３ｃをネジ締め挿入することによってパネル１３１に保持する。この際、機器の内側となるパネル１３１の第１の面１３１ｃ側には、第１のシェル筒部１１３ｃが突き出している。また、機器の内側となるパネル３１の第２の面１３１ｅには、第１のフランジ部１１３ａを当接させる。
【００６１】
その後、第１のシェル部材１１３の第１のシェル筒部１１３ｃには、第１の光コネクタプラグ１４１を入り込ませ、第１のシェル部材１１３に第１の光コネクタプラグ１４１を挿入する。次に、第２のシェル部材１２３の第２のシェル筒部１２３ｃには、第２の光コネクタプラグ１５１を挿入する。
【００６２】
そして、第２のシェル体１２１を第１のシェル体１１１に締結する。第２のシェル体１２１を第１のシェル体１１１に締結するには、ロックレバー１２５を回動軸１２３ｇを支点として図８乃至図１０に示した位置から反時計方向に操作部１２５ｅを持って図１３に示す位置へ回転させておき、第２のシェル部材１２３の第２の筒状部１２３ｅを前方として第２の筒状部１２３ｅを挿入する。
【００６３】
そして、第１のフランジ部１１３ａと第２のフランジ部１２３ａとを当接した後に、ロックレバー１２５の操作部１２５ｅを時計方向へ回転させると、第１のフランジ部１１３ａに形成されている第２の係合受部１１３ｐには、第２のレバー係合部１２５ｃが突き当る。
【００６４】
さらに第２のレバー係合部１２５ｃを第２の係合受部１１３ｐに移動させると、第２のレバー係合部１２５ｃの押圧力にって、第２の係合受部１１３ｐが第２のフランジ部１２３ａ側へ押される。このとき、第２のフランジ部１２３ａに形成されているスリット１１３ｒの部分で第２のフランジ部１２３ａの板部を撓ませるように弾性変形させる。さらに、第２のレバー係合部１２５ｃを第２の係合受部１１３ｐに移動させると、第２のレバー係合部１２５ｃが第２の係合受部１１３ｐを乗り越えて第２のフランジ部１２３ａの第２の係合受部１１３ｐと第２のレバー係合部１２５ｃとが係合する。この際、ロックレバー１２５の第１のレバー係合部１２５ａと軸部１１３ｎとが係合し、第１のシェル体１１３と収容部材１７とが一体に係合してロック状態となる。
【００６５】
また、第２のシェル体１２１を第１のシェル体１１１から分離するには、ロックレバー１２５を回動軸１２３ｇを支点として図８乃至図１０に示した位置から時計方向に操作部１２５ｅを持って回転させ、ロックレバー１２５の第１のレバー係合部１２５ａと軸部１１３ｎとの係合を解除し、第１及び第２のシェル部材１１１，１２１のロック状態を保持している第２の係合受部１１３ｐから第２のレバー係合部１２５ｃのロック状態を解除することによって分離する。
【００６６】
なお、第１のシェル体１１１は金属若しくは樹脂成型品であり、第２のシェル部材１２３は、弾性変形させることから樹脂成型によって形成されたものを採用することが望ましい。
【産業上の利用可能性】
【００６７】
本発明に係る光コネクタアダプタは、第１及び第２の光コネクタプラグを光学的に接続するアダプタの他、一般に使用されている第１のコネクタ及び第２のコネクタを相対的に挿入して接続するコネクタ装置としての不可欠な用途にも適用できる。
【図面の簡単な説明】
【００６８】
【図１】本発明に係る光コネクタアダプタを第１及び第２の光コネクタに接続した状態で示した側面図である（実施例１）。
【図２】図１に示した光コネクタアダプタ、第１及び第２の光コネクタを分解して示した側面図である。
【図３】図１及び図２に示した第１のシェル体及び収容部材を示す斜視図である。
【図４】図３に示した収容部材の正面図である。
【図５】図４に示した収容部材を一部断面して示した側面図である。
【図６】図３に示した第１のシェル部材及び収容部材との一部を断面して示した側面図である。
【図７】図１に示した固定用部材と第１のシェル部材との一部を断面して示した側面図である。
【図８】本発明に係る光コネクタアダプタを第１及び第２の光コネクタに接続した状態で示した側面図である（実施例２）。
【図９】図８に示した光コネクタアダプタ、第１及び第２の光コネクタを分解して示した側面図である。
【図１０】図１に示した光コネクタアダプタの係合状態を示す断面図である。
【図１１】図１に示した第１のシェル体及び第２のシェル体を示す斜視図である。
【図１２】図１に示した第２のシェル体からロックレバーを除いた形態を示した正面図である。
【図１３】図１に示した光コネクタアダプタの係合を解除した状態を示す断面図である。
【符号の説明】
【００６９】
１１，１１１    第１のシェル体
１３，１１３    第１のシェル部材
１３ａ，１１３ａ    第１のフランジ部
１３ｃ，１１３ｃ    第１のシェル筒部
１３ｅ，１１３ｅ    開口部
１３ｇ，    第１の係合受部
１３ｎ，１１３ｎ    軸部
１７    収容部材
１７ａ    収容フランジ部
１７ｅ    係合部
１７ｇ，１１３ｒ    スリット
１７ｓ，１１３ｓ  一部分
２１，１２１    第２のシェル体
２３    第２のシェル部材
２３ａ，１２３ａ    第２のフランジ部
２３ｃ，１２３ｃ    第２のシェル筒部
２３ｇ    回動軸
２５，１２５    ロックレバー
２５ａ，１２５ａ    第１のレバー係合部
２５ｃ，１２５ｃ    第２のレバー係合部
４１，１４１    第１の光コネクタプラグ
５１，１５１    第２の光コネクタプラグ
１１３ｐ    第２の係合受部
【図１】
2005134822.tif 000003
【図２】
2005134822.tif 000004
【図３】
2005134822.tif 000005
【図４】
2005134822.tif 000006
【図５】
2005134822.tif 000007
【図６】
2005134822.tif 000008
【図７】
2005134822.tif 000009
【図８】
2005134822.tif 000010
【図９】
2005134822.tif 000011
【図１０】
2005134822.tif 000012
【図１１】
2005134822.tif 000013
【図１２】
2005134822.tif 000014
【図１３】
2005134822.tif 000015